(57)【要約】【課題】清掃用管体を挿入しても、排水管内周面の当接面に傷が付かない排水継ぎ手及び該排水継ぎ手を採用した排水装置を提供する。【解決手段】排水管１と、排水管１に挿入する挿入管２と、排水管１と挿入管２が水密的に接続されるために使用される水密パッキン３と、から構成される排水継ぎ手において、排水管１の内周面に設けた、水密パッキン３が当接する当接面６を、排水管１の周面に沿って設けた凹溝４によって構成するか、その当接面６の前後を段部５とする。【選択図】  図１
2006249744.tif 000002
【特許請求の範囲】
【請求項１】
排水管と、
排水管に挿入する挿入管と、
排水管と挿入管が水密的に接続されるために使用される水密パッキン３と、
から構成される排水継ぎ手において、
排水管の内周面に設けた、水密パッキン３が当接する当接面６を、排水管の周面に沿って設けた凹溝４によって構成したことを特徴とする排水継ぎ手。
【請求項２】
排水管と、
排水管に挿入する挿入管と、
排水管と挿入管が水密的に接続されるために使用される水密パッキン３と、
から構成される排水継ぎ手において、
排水管の内周面に、水密パッキン３が当接する当接面６を設け、その当接面６の前方若しくは後方のいずれか一方又は両方を段部５としたことを特徴とする排水継ぎ手。
【請求項３】
前記挿入管は、排水管に着脱自在に取り付けられることを特徴とする前記請求項１又は請求項２に記載の排水継ぎ手。
【請求項４】
排水口８と、
排水口８からの排水を下水へと排水するための排出口１ａと、
排水口８から排出口１ａに至る流路中に設けられた、封水部１２を備えた封水パーツ２ｂと、
から構成される排水装置において、
封水パーツ２ｂと排出口１ａとを着脱自在とし、
更に封水パーツ２ｂと排出口１ａとの接続部分に前記請求項１乃至請求項３のいずれか１つに記載の排水継ぎ手を採用したことを特徴とする排水装置。
【請求項５】
排水口８と、
排水口８からの排水を下水へと排水するための排出口１ａと、
清掃用管体７を挿入するための清掃口１ｂと、
清掃口１ｂを水密的に封止するためのキャップ部材２ａと、
から構成される排水装置において、
キャップ部材２ａと清掃口１ｂとを着脱自在とし、
更に清掃口１ｂとキャップ部材２ａの接続部分に前記請求項１乃至請求項３のいずれか１つに記載の排水継ぎ手を採用したことを特徴とする排水装置。
【発明の詳細な説明】
【技術分野】
【０００１】
本発明は、洗面台や流し台などの排水機器の排水を下水へと排出するための排水管に備えられる排水継ぎ手及び該排水継ぎ手を採用した排水装置に関するものである。
【背景技術】
【０００２】
従来より、図９又は図１０に示したように、例えば流し台に用いられる排水装置が良く知られている。
従来例の排水装置は、本体部と、排水口と、排出口と、清掃口と、排水トラップと、配管と、から構成される。
本体部は、エルボ状であって、内部に厨芥を収納するごみかご収容部分を備え、後記する排水口、排出口、清掃口を構成する。
排水口は、流し台などの槽体などからの排水を、排水トラップ内部へと流入させるための開口である。
排出口は、排水口から流入した排水を下水へと排水するための開口であり、下流で排水トラップと接続される。
清掃口は、高圧洗浄やカンツール用管体（以下清掃用管体と記載）を排水トラップや排水トラップ下流へと挿入するための開口である。また、当該清掃口は、通常使用時はキャップ部材により水密的に封止する。そして、清掃口は排水トラップの封水部より下流へと水密的に接続される。
なお、当該キャップ部材は、水密パッキンをその外周面に配置し、清掃口内周面に当該水密パッキンが当接することで封止する。
排水トラップは、管体をＵ字状に屈曲して構成する部材であり、内部に封水と呼ばれる排水を一時的に貯水することで、下水側からの臭気や害虫の逆流を防止する。
また、排水トラップ下流は配管へと接続される。
配管は、排水トラップに接続される部材であり、最終的には下水へと配管される。
【０００３】
前記した従来例の排水装置の排水の流れは、流し台などからの排水が排水口を介し本体部へと流入する。本体部内に流入した排水は排出口から排水トラップへと排出され、最終的には下水管へと排出される。
なお、当該通常使用時は清掃口はキャップ部材により水密的に封止されているため、本体側から清掃口へと排水が流入する事はない。
【０００４】
また、前記した従来の排水装置に清掃用管体を挿入する際は以下のようになる。
排水口から排水トラップの封水部上流までを清掃する際は、排水口から清掃用管体を挿入して清掃を行う。また、排水トラップの封水より下流を清掃する際は、清掃口からキャップ部材を取り外し、当該清掃口から清掃口管体を挿入し、排水トラップの封水より下流を清掃することが出来る。
【０００５】
【特許文献１】特開２００４−３６０２６３号公報（図５、図６）
【発明の開示】
【発明が解決しようとする課題】
【０００６】
ところで、上記のような排水装置を通過する排水は、排水装置の使用者が使用した後の水であるため、毛髪・水垢・厨芥・残飯・ゴミ・泥・洗剤カスその他の汚物が混入している場合が多く、排水装置を長期間使用している間に、これらの物質が管内壁に付着するなどして蓄積し、排水トラップや排水管を閉塞してしまうことがあり、この閉塞を解消することが排水装置や排水管に関して解決すべき課題の一つとしてある。
【０００７】
また、上記課題の解決方法として、排水口からコイル状に巻いた金属線（以下、清掃用管体と記載）を挿通し、閉塞箇所の管詰まり物質に突き当ててこれを崩し、閉塞を解消するカンツール法や、同じく排水口から耐圧性を有したホース管（以下、清掃用管体と記載）を挿通し、閉塞箇所の管詰まり物質にホース管から高圧の吐水を吐出してこれを崩し、閉塞を解消する高圧洗浄法などがよく知られている。
【０００８】
しかし、清掃用管体は、排水装置の清掃口などの狭い開口から挿入し、且つ清掃口などの狭い開口側からホース管を操作しつつ屈曲した排水管内を奥へ進入させるので、排水管や排水装置の排出口、清掃口の内周面が、清掃用管体自身との摩擦により傷が付く場合があった。また、清掃用管体はそれ自身にある程度の剛性を備えているため、排水管内周面に傷が付く可能性も高い。そして、排水管内部にごみが詰まった状態であると、清掃口などの開口側から清掃用管体を強制的に挿入させるため、当該行為により、排水管内部が傷が付く可能性が高い。
このように摩擦による傷などは、特に従来例のように、管体の内周面に水密パッキンなどの当接面を兼ねる場合に、水密パッキンと管体の内周面との当接不良により水漏れ、空気漏れが発生する原因となり、非常に危険であった。
【０００９】
本発明の排水継ぎ手及び該排水継ぎ手を採用した排水装置は、清掃用管体を挿入しても、排水管内周面の当接面に傷が付かない排水継ぎ手及び該排水継ぎ手を採用した排水装置を提供する。
【課題を解決するための手段】
【００１０】
請求項１に記載の本発明は、排水管１と、排水管１に挿入する挿入管２と、排水管１と挿入管２が水密的に接続されるために使用される水密パッキン３と、から構成される排水継ぎ手において、排水管１の内周面に設けた、水密パッキン３が当接する当接面６を、排水管１の周面に沿って設けた凹溝４によって構成したことを特徴とする排水継ぎ手である。
【００１１】
請求項２に記載の本発明は、排水管１と、排水管１に挿入する挿入管２と、排水管１と挿入管２が水密的に接続されるために使用される水密パッキン３と、から構成される排水継ぎ手において、排水管１の内周面に、水密パッキン３が当接する当接面６を設け、その当接面６の前後を段部５としたことを特徴とする排水継ぎ手である。
【００１２】
請求項３に記載の本発明は、前記挿入管２は、排水管１に着脱自在に取り付けられることを特徴とする前記段落００１０又は前記段落００１１に記載の排水継ぎ手である。
【００１３】
請求項４に記載の本発明は、排水口８と、排水口８からの排水を下水へと排水するための排出口１と、排水口８から排出口１に至る流路中に設けられた、封水部１２を備えた封水パーツ２と、から構成される排水装置において、封水パーツ２と排出口１とを着脱自在とし、更に封水パーツ２と排出口１との接続部分に前記段落００１０乃至前記段落００１２のいずれか１つに記載の排水継ぎ手を採用したことを特徴とする排水装置である。
【００１４】
請求項５に記載の本発明は、排水口８と、排水口８からの排水を下水へと排水するための排出口１と、清掃用管体７を挿入するための清掃口１と、清掃口１を水密的に封止するためのキャップ部材２と、から構成される排水装置において、キャップ部材２と清掃口１とを着脱自在とし、更に清掃口１とキャップ部材２の接続部分に前記段落００１０乃至前記段落００１２のいずれか１つに記載の排水継ぎ手を採用したことを特徴とする排水装置である。
【発明の効果】
【００１５】
本発明の排水継ぎ手及び該排水継ぎ手を採用した排水装置によれば、以下の効果を奏する。
１．請求項１に記載の本発明によれば、排水管の内周面に設けた、水密パッキン３が当接する当接面６を、排水管の周面に沿って設けた凹溝４によって構成したことから、清掃用管体７を排水管内に挿入しても、水密パッキン３の当接面６が清掃用管体７と摩擦状態に陥ることがなく、従って、清掃用管体７によって当接面６が傷つくことがなく、当該傷による排水管と挿入管間での止水不良やエアー漏れが発生することがない。
２．請求項２に記載の本発明によれば、排水管の内周面に、水密パッキン３が当接する当接面６を設け、その前後を段部５としたことから、清掃用管体７を排水管内に挿入しても、水密パッキン３の当接面６が清掃用管体７と摩擦状態に陥ることがなく、従って、清掃用管体７によって当接面６が傷つくことがなく、当該傷による排水管１と挿入管間での止水不良やエアー漏れが発生することがない。
３．請求項３に記載の本発明によれば、挿入管は、排水管に着脱自在に取り付けられることから、水密パッキン３を着脱自在に取り付けるための部材として兼用することが出来る。
４．請求項４に記載の本発明によれば、特に排水管の詰まりを発生しやすい流し台や洗面台の排水配管に清掃用管体７によって当接面６が傷つくことがなく、当該傷による排水管と挿入管間での止水不良やエアー漏れが発生することがない。
５．請求項５に記載の本発明によれば、特に排水管の詰まりを発生しやすい流し台や洗面台の排水配管に清掃用管体７によって当接面６が傷つくことがなく、当該傷による排水管と挿入管間での止水不良やエアー漏れが発生することがない。
【実施例】
【００１６】
本発明の第１実施例を、図１乃至図４を参照に説明する。
本実施例の排水装置は、本体部９と、排水口８と、排出口１ａと、排水管としての清掃口１ｂと、挿入管としてのキャップ部材２ａと、排水トラップ１１と、配管１０と、から構成される。
本体部９は、エルボ状であって、内部に厨芥を収納するごみかご収容部分を備え、後記する排水口８、排出口１ａ、清掃口１ｂを構成する。
排水口８は、流し台などの槽体などからの排水を、本体部９内部へと流入させるための開口である。
排出口１ａは、排水口８から流入した排水を下水へと排水するための開口であり、下流で排水トラップ１１と接続される。
清掃口１ｂは、図３若しくは図４に示したように、清掃用管体７を排水トラップ１１や排水トラップ１１下流へと挿入するための開口である。また、当該清掃口１は、通常使用時はキャップ部材２ａにより水密的に封止する。そして、清掃口１ｂは排水トラップ１１の封水部１２より下流へと管体によって水密的に接続される。また、清掃口１ｂ内周面に周縁に沿って連続して凹溝４を構成し、後記する水密パッキン３の当接面６とした。
キャップ部材２ａは、図１、図３に示したように、その外周面に、周縁に沿って連続して溝部１３を構成し、当該溝部１３に水密パッキン３を配置する。そして、清掃口１ｂ内周面にキャップ部材２ａを取り付けると、キャップ部材２ａの水密パッキン３が清掃口１ｂの凹溝４に当接することで清掃口１ｂを封止する。また、キャップ部材２ａは清掃口１ｂに対し着脱自在に取り付けられる。
排水トラップ１１は、管体をＵ字状に屈曲して構成する部材であり、内部に封水と呼ばれる排水を一時的に貯水することで、下水側からの臭気や害虫の逆流を防止する。
また、排水トラップ１１下流は配管１０へと接続される。
配管１０は、最終的には下水へと配管される管体である。
【００１７】
前記した本実施例の排水装置の排水の流れは、流し台などからの排水が排水口８を介し本体部９へと流入する。本体部９内に流入した排水は排出口１から排水トラップ１１へと排出され、配管１０を介して最終的には下水管へと排出される。
なお、当該通常使用時は清掃口１ｂはキャップ部材２ａにより水密的に封止されているため、本体側から清掃口１ｂへと排水が流入する事はない。
【００１８】
また、前記した本実施例の排水装置に清掃用管体７を挿入する際は以下のようになる。
排水口８から排水トラップ１１の封水部１２上流までを清掃する際は、排水口８から清掃用管体７を挿入して清掃を行う。
また、排水トラップ１１の封水より下流を清掃する際は、図２又は図４に示したように、清掃口１ｂからキャップ部材２ａを取り外し、当該清掃口１ｂから清掃用管体７を挿入し、排水トラップ１１の封水より下流を清掃することが出来る。
また、図２、図４に示したように、本実施例では水密パッキン３と清掃口１ｂの当接面６は清掃口１ｂ内周面より一段段押しされた凹溝４であるため、清掃用管体７が挿入されても、清掃用管体７は凹溝４の上側を通り越すようにして下流側へと挿入されるため、清掃口１ｂの特に当接面６は傷がつくことがない。従って、キャップ部材２ａの水密パッキン３と清掃口１内部の当接面６から水漏れやエアー漏れが発生することがない。
【００１９】
本発明の第２実施例を、図５乃至図８を参照に説明する。
本実施例の排水装置は、本体部９と、排水口８と、排水管としての排出口１ａと、挿入管としての封水パーツ２ｂと、封水部１２と、配管１０と、から構成される。
本体部９は、エルボ状であって、内部に厨芥を収納するごみかご収容部分を備え、後記する排水口８、排出口１ａ、封水部１２を構成する。
排水口８は、流し台などの槽体などからの排水を、排水トラップ１１内部へと流入させるための開口である。
排出口１ａは、排水口８から流入した排水を下水へと排水するための開口であり、その内周面に、周縁に沿って連続して内周方向に飛び出すように凸状に構成した段部５を構成する。
封水パーツ２ｂは、図１又は図２に示したように、下方へ大きく屈曲した管体状から構成され、下方に屈曲していない方を本体部９の排出口１に着脱自在且つ水密的に取り付けることが出来る。なお、当該封水パーツ２ｂは、本体部９の排出口１ａに取り付けたときには、本体部９と封水パーツ２ｂの下方に屈曲した部分によって封水部１２を構成することが出来る。尚、この封水部１２を本体部９に備えることで、本体部９は排水トラップ１１とすることが出来る。また、当該排水トラップ１１は、排水を一時的に貯留することで下水からの臭気や害虫の室内側への逆流を防止することが出来る。
そして、当該封水パーツ２の排出口１ａに差し込まれる方の端部には溝部１３が構成され、当該溝部１３には水密パッキン３が配置される。そして、その水密パッキン３が前記排出口１ａ内周面に着脱自在且つ水密的に当接される。
また、排出口１ａには段部５が構成されるので、当該実施例では、封水パーツ２を前記段部５に当接するまで差し込んで取り付けることができる。
すなわち、この段部５の軸方向前方（手前側）が当接面６として機能する。
また、配管１０は、前記排出口１ａに接続される配管部材であり、最終的には下水へと接続される。
【００２０】
前記した本実施例の排水装置の排水の流れは、流し台などからの排水が排水口８を介し本体部９へと流入する。本体部９内に流入した排水は封水パーツ２ｂによって形成された封水部１２内を通過して、本体部９の排出口１ａから排出される。排出口１ａから排出された排水は配管１０を介して最終的には下水へと排水される。
なお、当該通常使用時は、封水パーツ２ｂと排出口１ａ内周面は水密パッキン３によって水密的に封止されているため、下水側の臭気や害虫が室内側へ逆流することがない。
【００２１】
また、前記した本実施例の排水装置に清掃用管体７を挿入する際は以下のようになる。
図６又は図８に示したように、封水パーツ２ｂを排出口１ａから取り外し、排水口８から清掃用管体７を排出口１ａへ挿入して清掃を行う。
こうすることで、排出口１ａから排水トラップ１１内部、そして配管１０内部、下水管まで清掃用管体７を挿入することが出来る。そして、清掃が終了すると、清掃用管体７を引き抜き、封水パーツ２ｂを排出口１ａに取り付けて清掃は終了する。
また、図６，図８に示したように、本実施例では水密パッキン３と排出口１の当接面６は、排出口１ａに、周縁に沿って連続して段部５が構成されていることから、清掃用管体７が挿入されても、清掃用管体７は段部５を乗り越えて、当接面６の上側を通り越すようにして下流側へと挿入されるため、排出口１ａの特に当接面６は傷がつくことがない。従って、封水パーツ２の水密パッキン３と排出口１ａ内部の当接面６から水漏れやエアー漏れが発生することがない。
【００２２】
以上、本発明の主要な実施の形態について説明したが、本発明は、これらの実施の形態に限定されるものではなく、発明の目的を達成でき且つ発明の要旨を逸脱しない範囲内で種々の設計変更が可能であることは当然である。
例えば、前記実施例では排出口１の段部５を水密パッキン３の当接面６の下流側に構成しているが、水密パッキン３の当接面６上流側に構成してもよい。
また、当接面６の前後両方に構成してもよい。
また、前記実施例では段部５を排出口１に一体的に構成しているが、別体（例えば配管されるパイプなど）として構成してもよい。
【図面の簡単な説明】
【００２３】
【図１】本発明の第１実施例を示す断面図である。
【図２】本発明の第１実施例において、清掃用管体を挿入時の断面図である。
【図３】本発明の第１実施例において、排水継ぎ手周辺の一部拡大断面図である。
【図４】本発明の第１実施例において、清掃用管体を挿入時の排水継ぎ手周辺の一部拡大断面図である。
【図５】本発明の第２実施例を示す断面図である。
【図６】本発明の第２実施例において、清掃用管体を挿入時の断面図である。
【図７】本発明の第２実施例において、排水継ぎ手周辺の一部拡大断面図である。
【図８】本発明の第２実施例において、清掃用管体を挿入時の一部拡大断面図である。
【図９】従来例を示す断面図である。
【図１０】従来例を示す断面図である。
【符号の説明】
【００２４】
１ａ    排出口
１ｂ    清掃口
２ａ    キャップ部材
２ｂ    封水パーツ
３      水密パッキン
４      凹溝
５      段部
６      当接面
７      清掃用管体
８      排水口
９      本体部
１０    配管
１１    排水トラップ
１２    封水部
１３    溝部
【図１】
2006249744.tif 000003
【図２】
2006249744.tif 000004
【図３】
2006249744.tif 000005
【図４】
2006249744.tif 000006
【図５】
2006249744.tif 000007
【図６】
2006249744.tif 000008
【図７】
2006249744.tif 000009
【図８】
2006249744.tif 000010
【図９】
2006249744.tif 000011
【図１０】
2006249744.tif 000012